(57)【要約】【課題】従来の垢擦りタオルは、刺激性の効果のある物が少なく使用後の爽快感に欠けていた。【解決手段】垢擦りタオルに小球を取り付ける仕組みに形成し、身体背面の垢擦りや身体のマッサージ効果を引き出すことを目的とし構成する。【選択図】図１
2006271944.tif 000002
【特許請求の範囲】
【請求項１】
化学繊維や布地（木綿類）の垢擦りタオルの素材に、径６ｍｍ前後の小球を２〜３ｃｍの間隔に取り付けた形式で構成したことを、特長とした小球入り垢擦りタオル。
【請求項２】
珪素樹脂系で形成された弾力性のある小球を、垢擦りタオルの素材で両側から縫製固定する形式で構成したことを、特長とした請求項１記載の小球入り垢擦りタオル。
【請求項３】
請求項２で言う小球を垢擦りタオル製造時、タオル素材地に包み込む形式に構成したことを、特長とした請求項１記載の小球入り垢擦りタオル。
【発明の詳細な説明】
【技術分野】
【０００１】  本発明は、入浴時等身体を洗う小球入り垢擦りタオルに関する。
【背景技術】
【０００２】従来の垢擦りタオルにおいては、平坦なものが多く網目調の物などが多く見られるが、突起物等の付いた刺激性の製品は少ない。
【発明の開示】
【発明が解決しょうとする課題】
【０００３】  従来の垢擦りタオルにおいては、石鹸等を使用すると刺激が減少し、特に背面等には洗い残しの不快感が残る問題が生じる場合がある。
【０００４】  本発明はこのような従来の問題を解決する為、身体の垢落としを目的とし構成されたものである。
【課題を解決するための手段】
【０００５】  上記目的を達成するためには、垢擦りタオル地の両端を除き６ｍｍ前後の小球を多数垢擦りタオルに、取り付けた仕組に構成した物である。
【発明の効果】
【０００６】  本発明は、垢擦りタオル地に取り付けた小球の働きにより少力で作用効果が表れ、また首や背面（背中の窪み等）を洗う場合、それを容易にできる小球の付いた垢擦りタオルを提供できる。
【０００７】  また、特に首や腰や脹脛、腿の部分等には、小球によるマッサージ効果を得ることができる。
【発明の実施するための最良の形態】
【０００８】  以下、本発明の実施の形態を、図を参照して説明する。
【０００９】  図１は、垢擦りタオル地１の両端３の部分は使用時、手で持つ部分である為、その両端３を除き径６ｍｍ前後の珪素樹脂等で形成した小球２を２０ｍｍ〜３０ｍｍ間隔で垢擦りタオルに取り付ける。
【００１０】  図２における実施例では、２枚の垢擦りタオル地１の間に小球２をはさみこみ、小球２を固定する目的で糸４にて縫製し形成したものである、この場合小球２を縫製前に糊等でタオル地に固定すると良い。
【００１１】  図３は、図１と図２の実施例において実施された完成図であり、１は垢擦りタオル、２は小球、４は縫製の縫い目。
図４は、垢擦りタオル製作時の過程において小球２と垢擦りタオル１を一体化形式に構成した拡大図である。
【図面の簡単な説明】
【００１２】
【図１】  本発明の実施形態を示す小球入り垢擦りタオルを広げた平面図
【図２】  小球縫製時の断面図
【図３】  小球縫製後の断面図
【図４】  垢擦りタオル１と小球２を一体化に形成した拡大断面図
【符号の説明】
１  垢擦りタオル
２  珪素樹脂等で形成した小球
３  垢擦りタオル両端（平坦部）
４  縫製時の縫い目
５  一体化に形成した場合の小球と小球の間
【図１】
2006271944.tif 000003
【図２】
2006271944.tif 000004
【図３】
2006271944.tif 000005
【図４】
2006271944.tif 000006
【手続補正書】
【提出日】平成17年4月21日(2005.4.21)
【手続補正１】
【補正対象書類名】特許請求の範囲
【補正対象項目名】請求項１
【補正方法】変更
【補正の内容】
【請求項１】
化学繊維や布地（木綿等）のタオルの素材に、小球を取り付けた形式に構成したことを特長とした、小球入り垢擦りタオル。
【手続補正２】
【補正対象書類名】明細書
【補正対象項目名】０００５
【補正方法】変更
【補正の内容】
【０００５】  上記目的を達成するためには、垢擦りタオル地の両端を除き小球を垢擦りタオルの中に、取り付けた仕組みに構成したものである。
【手続補正３】
【補正対象書類名】明細書
【補正対象項目名】０００９
【補正方法】変更
【補正の内容】
【０００９】  図１の垢擦りタオル地１の両端３は、使用時手で持って使用する部分であるため、両端３を除き珪素樹脂等で形成された小球（径１０ｍｍ〜２０ｍｍ程度）を３０ｍｍ〜９０ｍｍ程度の間隔で垢擦りタオルに取り付ける。
【手続補正４】
【補正対象書類名】明細書
【補正対象項目名】００１０
【補正方法】変更
【補正の内容】
【００１０】    図２における実施例では、２枚の垢擦りタオル地１の間に小球２を挟みこみ、小球２を包み込む目的で糸４にて縫製形成したものである、あるいは小球を包み込む目的で最初に垢擦りタオルを１列ごとに袋状に縫製し、小球を袋状の１列ごとに入れ、その都度縫製し数回の工程を経て形成した仕組に構成する。
【手続補正５】
【補正対象書類名】図面
【補正対象項目名】図１
【補正方法】変更
【補正の内容】
【図１】
2006271944.tif 000007
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
合成繊維（ナイロン１００％等）で形成された垢擦りタオルの素材に、小球を取り付ける形式で構成したことを、特長とした小球入り垢擦りタオル。
【請求項２】
珪素樹脂系（ゴムやシリコン）で形成された弾力性のある小球を、垢擦りタオルの素材で両側から縫製固定する形式で構成したことを、特長とした請求項１記載の小球入り垢擦りタオル。
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
合成繊維（ナイロン１００％等）で形成された垢擦りタオルの素材に、小球を取り付ける形式で構成したことを、特長とした小球入り垢擦りタオル。
【請求項２】
珪素樹脂系（ゴムやシリコン）で形成された弾力性のある小球を、垢擦りタオルの素材で両側から袋状に縫製固定する形式で構成したことを、特長とした請求項１記載の小球入り垢擦りタオル。
【請求項３】
請求項２で言う小球を垢擦りタオル製造時の過程でタオル素材に包み込む形式に構成したことを、特長とした請求項１記載の小球入り垢擦りタオル。
【請求項４】
請求項２で言う小球を色付け構成にしたことを、特長とした請求項１記載の小球入り垢擦りタオル。
【手続補正２】
【補正対象書類名】明細書
【補正対象項目名】０００７
【補正方法】変更
【補正の内容】
【０００７】  また、特に首や腰、脹脛、腿の部分等には小球によるマッサージ効果を得ることができ、尚請求項３で言うカラフルな小球を入れたことにより、特に子供や大人達にとっても入浴、身体洗いが楽しくなるとともに、湯上り後清潔感と爽快感を味わうことができる。
【手続補正書】
【提出日】平成18年5月10日(2006.5.10)
【手続補正１】
【補正対象書類名】明細書
【補正対象項目名】０００９
【補正方法】変更
【補正の内容】
【０００９】  図１の垢擦りタオル地１の両端３は、使用時手で持って使用する部分であるため、両端３を除き珪素樹脂等で形成された小球（径１０ｍｍ〜３０ｍｍ程度）を３０ｍｍ〜９０ｍｍ程度の間隔で垢擦りタオル１に取り付ける。
【手続補正２】
【補正対象書類名】明細書
【補正対象項目名】００１０
【補正方法】変更
【補正の内容】
【００１０】  図２における実施例では、２枚の垢擦りタオル１の間に小球２を包み込む目的で糸４にて縫製する仕組みに形成するもので、その工程は図１のように最初に垢擦りタオルを１列ごとに袋状に縫製し、袋部の１方には小球を入れる目的として開口部を設けておき、その開口部から小球を袋の中に入れ、開口部を縫製し球を包み込む仕組に形成し数回の工程を経て構成する、尚合成繊維の垢擦りタオルは生地があらく伸縮性に富んでいるため、糸は合成繊維を使用し、ミシンにて直線縫いでもよいが糸ほぐれの防止を目的としてジグザグ縫いを推奨する。